(57)【要約】【課題】キーワードの検索において曖昧な要素を持たせて、良好な電子番組表の検索を行う。【解決手段】ステップ〔１〕でユーザーにより登録されたキーワードが、ステップ〔２〕で元になるキーワードとして記憶される。さらに、例えばインターネットを通じてステップ〔３〕で検索・決定されたサブキーワードが、ステップ〔４ａ〕〜〔４ｃ〕で記憶される。これによりステップ〔５〕でキーワードインデックスが作成される。このキーワードインデックスには、ステップ〔６〕でデータベースに登録された配信キーワードも含まれる。そして作成されたキーワードインデックスがステップ〔７〕で記憶される。さらにステップ〔８〕でユーザーによるキーワードの選択が行われ、ステップ〔９〕でデータベースの検索が行われて、検索結果がステップ〔１０〕で表示される。【選択図】        図７
2004336394.tif 000002
【特許請求の範囲】
【請求項１】
電子番組表を取得し、前記取得された電子番組表を任意のキーワードで検索して所望の番組の放送時刻及び放送チャンネルを抽出し、前記抽出された放送時刻及び放送チャンネルの番組を受信する番組受信装置であって、
前記キーワードの記憶手段にはサブキーワードの記憶手段が併設され、
前記キーワードと前記サブキーワードのいずれかに合致する番組が検索される
ことを特徴とする番組受信装置。
【請求項２】
請求項１記載の番組受信装置において、
前記キーワードには予め定められた固定キーワードを含み、
前記キーワードの記憶手段には予め定められた固定サブキーワードの記憶手段が併設される
ことを特徴とする番組受信装置。
【請求項３】
請求項１記載の番組受信装置において、
前記キーワードには随時更新される配信キーワードを含み、
前記キーワードの記憶手段には前記キーワードの更新と同時に配信されるサブキーワードの記憶手段が併設される
ことを特徴とする番組受信装置。
【請求項４】
請求項１記載の番組受信装置において、
任意の情報ネットワークへの接続手段を有し、
前記キーワードにはユーザーが設定するユーザーキーワードを含み、
前記キーワードの記憶手段には、前記設定されたユーザーキーワードを前記任意の情報ネットワークへアップロードし、前記任意の情報ネットワークからダウンロードされたサブキーワードの記憶手段が併設される
ことを特徴とする番組受信装置。
【請求項５】
電子番組表を取得し、前記取得された電子番組表を任意のキーワードで検索して所望の番組の放送時刻及び放送チャンネルを抽出し、前記抽出された放送時刻及び放送チャンネルの番組を受信する番組受信方法であって、
前記キーワードにはサブキーワードが併せて設けられ、
前記キーワードと前記サブキーワードのいずれかに合致する番組が検索される
ことを特徴とする番組受信方法。
【請求項６】
請求項５記載の番組受信方法において、
前記キーワードには予め定められた固定キーワードを含み、
前記キーワードには予め定められた固定サブキーワードが併せて設けられる
ことを特徴とする番組受信方法。
【請求項７】
請求項５記載の番組受信方法において、
前記キーワードには随時更新される配信キーワードを含み、
前記キーワードには前記キーワードの更新と同時に配信されるサブキーワードが併せて設けられる
ことを特徴とする番組受信方法。
【請求項８】
請求項５記載の番組受信方法において、
任意の情報ネットワークに接続され、
前記キーワードにはユーザーが設定するユーザーキーワードを含み、
前記キーワードには、前記設定されたユーザーキーワードを前記任意の情報ネットワークへアップロードし、前記任意の情報ネットワークからダウンロードされたサブキーワードが併せて設けられる
ことを特徴とする番組受信方法。
【請求項９】
電子番組表を取得し、前記取得された電子番組表を任意のキーワードで検索して所望の番組の放送時刻及び放送チャンネルを抽出し、前記抽出された放送時刻及び放送チャンネルの番組を受信して記録する番組記録装置であって、
前記キーワードの記憶手段にはサブキーワードの記憶手段が併設され、
前記キーワードと前記サブキーワードのいずれかに合致する番組が検索されて記録される
ことを特徴とする番組記録装置。
【請求項１０】
請求項９記載の番組記録装置において、
前記キーワードには予め定められた固定キーワードを含み、
前記キーワードの記憶手段には予め定められた固定サブキーワードの記憶手段が併設される
ことを特徴とする番組記録装置。
【請求項１１】
請求項９記載の番組記録装置において、
前記キーワードには随時更新される配信キーワードを含み、
前記キーワードの記憶手段には前記キーワードの更新と同時に配信されるサブキーワードの記憶手段が併設される
ことを特徴とする番組記録装置。
【請求項１２】
請求項９記載の番組記録装置において、
任意の情報ネットワークへの接続手段を有し、
前記キーワードにはユーザーが設定するユーザーキーワードを含み、
前記キーワードの記憶手段には、前記設定されたユーザーキーワードを前記任意の情報ネットワークへアップロードし、前記任意の情報ネットワークからダウンロードされたサブキーワードの記憶手段が併設される
ことを特徴とする番組記録装置。
【請求項１３】
電子番組表を取得し、前記取得された電子番組表を任意のキーワードで検索して所望の番組の放送時刻及び放送チャンネルを抽出し、前記抽出された放送時刻及び放送チャンネルの番組を受信するための情報を処理する情報処理装置であって、
前記キーワードの記憶手段にはサブキーワードの記憶手段が併設され、
前記キーワードと前記サブキーワードのいずれかに合致する番組が検索される
ことを特徴とする情報処理装置。
【請求項１４】
請求項１３記載の情報処理装置において、
前記キーワードには予め定められた固定キーワードを含み、
前記キーワードの記憶手段には予め定められた固定サブキーワードの記憶手段が併設される
ことを特徴とする情報処理装置。
【請求項１５】
請求項１３記載の情報処理装置において、
前記キーワードには随時更新される配信キーワードを含み、
前記キーワードの記憶手段には前記キーワードの更新と同時に配信されるサブキーワードの記憶手段が併設される
ことを特徴とする情報処理装置。
【請求項１６】
請求項１３記載の情報処理装置において、
任意の情報ネットワークへの接続手段を有し、
前記キーワードにはユーザーが設定するユーザーキーワードを含み、
前記キーワードの記憶手段には、前記設定されたユーザーキーワードを前記任意の情報ネットワークへアップロードし、前記任意の情報ネットワークからダウンロードされたサブキーワードの記憶手段が併設される
ことを特徴とする情報処理装置。
【請求項１７】
電子番組表を取得し、前記取得された電子番組表を任意のキーワードで検索して所望の番組の放送時刻及び放送チャンネルを抽出し、前記抽出された放送時刻及び放送チャンネルの番組を受信する装置を対象とする情報提供システムであって、
任意の情報ネットワークに接続され、
前記キーワードにはサブキーワードが併せて設けられ、
前記キーワードと前記サブキーワードのいずれかに合致する番組が検索される
ことを特徴とする情報提供システム。
【請求項１８】
請求項１７記載の情報提供システムにおいて、
前記キーワードには随時更新される配信キーワードを含み、
前記キーワードには前記キーワードの更新と同時に配信されるサブキーワードが併せて設けられる
ことを特徴とする情報提供システム。
【請求項１９】
請求項１７記載の情報提供システムにおいて、
前記キーワードにはユーザーが設定するユーザーキーワードを含み、
前記キーワードには、前記設定されたユーザーキーワードを前記任意の情報ネットワークへアップロードし、前記任意の情報ネットワークからダウンロードされたサブキーワードが併せて設けられる
ことを特徴とする情報提供システム。
【請求項２０】
請求項１９記載の情報提供システムにおいて、
前記任意の情報ネットワークからのサブキーワードのダウンロードには課金を伴わせる
ことを特徴とする情報提供システム。
【発明の詳細な説明】
【０００１】
【発明の属する技術分野】
本発明は、例えばハードディスクを内蔵して放送番組の記録を行う装置に使用して好適な番組受信装置、番組受信方法、番組記録装置、情報処理装置及び情報提供システムに関する。詳しくは、所望の番組が、電子番組表（ＥＰＧ）を用いて自動的に検索されて受信されるようにする際のキーワードの提供に関するものである。
【０００２】
【従来の技術】
従来の番組受信装置で、電子番組表を取得し、この電子番組表を任意のキーワードで検索して所望の番組を受信する装置は知られている（例えば、特許文献１参照。）。
また、ユーザーの視聴履歴情報からユーザーの好みの番組を推定して、番組を受信しているものもある（例えば、特許文献２参照。）。
【０００３】
【特許文献１】
特開２０００−４１０６６号公報
【特許文献２】
特開２００２−１５２６３９号公報
【０００４】
【発明が解決しようとする課題】
例えばハードディスクを内蔵して放送番組の記録を行う装置においては、極めて多くの番組の記録を行うことができる。このため、電子番組表を取得すると共に、任意のキーワードを設定し、取得された電子番組表と設定されたキーワードを用いて番組表を検索して、番組表内のキーワードに合致する番組を自動的に受信・記録することが行われている。
【０００５】
ところで、上述のような電子番組表においては、表示面の解像度との関係から記載に用いられている単語に省略等が行われている可能性がある。すなわち、例えば「新番組」という表記に変えて「（新）」等の表記が行われている場合がある。その場合に、上述のキーワードとして「新番組」を設定しても、「（新）」と表記された番組は検索から漏れる可能性がある。
【０００６】
そこで設定されたキーワードに対して、いわゆる曖昧な要素を持たせることにより、例えば「新番組」に対して「（新）」等の表記も検索されるようにする必要がある。しかしながら、このような曖昧な要素を持たせるためには、そのための特別なソフトウェアや辞書等を設ける必要があり、番組の検索等の付随の機能には負担が大きいものである。
【０００７】
これは特に、ユーザーがキーボード等を用いて任意に設定するキーワードに対しては、上述のような曖昧な要素を予め設定しておくことができないために、上述の特別なソフトウェアや辞書等を設けない場合には、曖昧な要素も含めた検索は出来ないものであった。このため任意に設定するキーワードに対する検索は、キーワードが完全に合致するものに限られていた。
【０００８】
この出願はこのような点に鑑みて成されたものであって、解決しようとする問題点は、従来の装置では、キーワードの検索において曖昧な要素を持たせるためには、特別なソフトウェアや辞書等が必要となって装置への負担が大きくなるものであり、これは特に、ユーザーがキーボード等を用いて任意に設定するキーワードに対しては、容易に対応することができなかったというものである。
【０００９】
【課題を解決するための手段】
このため本発明においては、キーワードに併せてサブキーワードが設けられ、キーワードとサブキーワードのいずれかに合致する番組が検索されるようにしたものであって、これによれば、装置への負担を増すことなく、キーワードの検索において曖昧な要素を持たせて、良好な電子番組表の検索を行うことができる。
【００１０】
【発明の実施の形態】
すなわち本発明は、電子番組表を取得し、取得された電子番組表を任意のキーワードで検索して所望の番組の放送時刻及び放送チャンネルを抽出し、抽出された放送時刻及び放送チャンネルの番組を受信する番組受信装置、番組受信方法、番組記録装置、情報処理装置及び情報提供システムであって、キーワードにはサブキーワードが併せて設けられ、キーワードとサブキーワードのいずれかに合致する番組が検索されるようにしたものである。
【００１１】
以下、図面を参照して本発明を説明するに、図１は本発明による番組受信装置、番組受信方法、番組記録装置、情報処理装置及び情報提供システムを適用した番組記録装置及び情報提供システムの一実施形態を示すブロック図である。
【００１２】
図１において、この実施形態に示される番組記録装置１０には、いわゆる地上波放送の受信チューナ（以下、地上波チューナと略称する）１が内蔵され、この地上波チューナ１には、アンテナ端子１１に接続される地上波放送の受信アンテナ（以下、地上波アンテナと略称する）２０からの受信信号が供給される。
【００１３】
また、いわゆる衛星（ＣＳ）放送の受信アンテナ（以下、衛星アンテナと略称する）３０からの受信信号が、外付けの衛星放送の受信チューナ（以下、ＣＳチューナと略称する）３１に供給され、受信復調されたデジタルデータ信号と、さらにデコードされたアナログテレビジョン信号が取り出される。
【００１４】
さらに、外付けのＣＳチューナ３１から取り出されるアナログテレビジョン信号が、番組記録装置１０のアナログ入力端子１２に供給されると共に、ＣＳチューナ３１から取り出されるデジタルデータ信号が、番組記録装置１０のデータ入力端子１３に供給される。
【００１５】
そして、データ入力端子１３に供給されるデジタルデータ信号が、制御ＣＰＵ（Ｃｅｎｔｒａｌ  Ｐｒｏｃｅｓｓｉｎｇ  Ｕｎｉｔ）２に供給され、例えばデジタルデータ信号中に含まれる電子番組表（Ｅｌｅｃｔｒｉｃ  Ｐｒｏｇｒａｍ  Ｇｕｉｄｅ：以下、ＥＰＧと略称する）のデータが取得されて、電子番組表が形成される。
【００１６】
また、番組記録装置１０に内蔵の地上波チューナ１で受信復調されるアナログテレビジョン信号からも、重畳されたＥＰＧのデータが取り出されて、制御ＣＰＵ２に供給される。この地上波のＥＰＧのデータについても電子番組表が形成される。
【００１７】
さらに制御ＣＰＵ２には、いわゆる情報ネットワークとしてのインターネット１００等に接続するための手段が設けられる。そしてこのインターネット１００を通じて所定のウェブサーバ２００や、任意のポーリングサーバ３００に接続される。
【００１８】
ここでウェブサーバ２００には、例えば他の電子番組表となるＥＰＧのデータが設けられているものである。また、ポーリングサーバ３００には、例えば外部の情報ネットワークを通じて装置の制御を行うための情報が設けられる。これにより、ユーザーは、例えば出先から予約録画の設定等を行うことができる。
【００１９】
また、制御ＣＰＵ２では、ＣＳチューナ３１からのデジタルデータ信号中に含まれるＥＰＧのデータ、地上波のアナログテレビジョン信号に重畳されたＥＰＧのデータ、及びインターネット１００を通じて伝送されるＥＰＧのデータの、それぞれによる電子番組表が形成される。
【００２０】
そして、例えばこのようにして形成される電子番組表を用いて、記録される所望の番組の放送時間帯と放送チャンネル等が設定される。さらにこの設定に応じて記録手段となるハードディスク装置３が駆動されると共に、内蔵の地上波チューナ１及び外付けのＣＳチューナ３１に対して選局等の制御が行われる。
【００２１】
ここで、上述の電子番組表を用いた番組の放送時間帯と放送チャンネル等が設定において、いわゆるキーワードを用いた番組の検索が、以下のようにして行われる。
【００２２】
すなわち、上述の番組の検索を行うためのキーワードは、例えば制御ＣＰＵ２のメモリ領域２１に設けられるものである。そしてこのキーワードは、例えば図２に示すように、元になるキーワードと、各キーワードに併設されたそれぞれ最大３個のサブキーワードとからなっている。
【００２３】
また、元になるキーワードは全部で２４個が設けられる。この内の１〜８番は固定キーワードであり、例えば「新番組」「スペシャル」「ニュース」「料理」「旅行」「健康」「芸能」「芸術」が設けられる。さらに、これらの元になるキーワードに対して、それぞれ、例えば「新番組」については「（新）」、「スペシャル」については「特別、特番、特大号」等のサブキーワードが設けられる。
【００２４】
さらに、２４個の元になるキーワードの内の９〜１６番は、配信キーワードである。ここには元になるキーワードとしては、例えば「ワールドカップ」「サーフィン」のような特定の期間に多く使用されるキーワードが設けられる。そして、例えば「ワールドカップ」については、「Ｗｃｕｐ、Ｗｏｒｌｄ杯、ワールド杯」等のサブキーワードが設けられる。
【００２５】
ここで、９〜１６番に設けられる配信キーワードは、例えばインターネット１００を通じて、ウェブサーバ２００やポーリングサーバ３００から行われる。また、その配信の際には、元になるキーワードとサブキーワードは併せて配信される。なお、これらの配信された元になるキーワードとサブキーワードも、上述の制御ＣＰＵ２のメモリ領域２１に設けられるものである。
【００２６】
さらに、このようなキーワードを用いての番組の検索は、例えば図３、図４に示すように行われる。すなわち、例えばリモートコントロール装置５０に設けられるメニュー釦（図示せず）が操作されると、画面には例えば図３のＡに示すようなメニュー画像が表示される。このメニューの中から、「おまかせ・まる録」が選択されると、図３のＢに示すような設定のための画像が表示される。
【００２７】
ここで「おまかせ設定」が選択されると、図４のＡに示すような画像となる。この図４のＡにおいて、画像の上部には、上述の元になるキーワードが表示されている。そして、図４のＢに示すように任意のキーワードが選択されて、決定されると、画像の下部の空欄に選択されたキーワードが転記される。このようにして選択されたキーワード及びサブキーワードに従って番組の検索が行われる。
【００２８】
さらに、ユーザーが任意のキーワードを設定する場合には、例えば図５、図６に示すように行われる。すなわち図４のＢの画像の下部で空欄が選択されると、図５のＡに示すような「キーワード入力」と「戻る」の選択肢が、いわゆる吹き出し形式で表示される。そして「キーワード入力」が選択されると、図５のＢに示すようなソフトキーボードの画像が表示される。
【００２９】
このソフトキーボードの画像において、ユーザーの任意のキーワードが入力される。そして「決定」釦が操作されると、図６に示すように画像の下部で空欄だった部分に入力されたキーワードとして、例えば「カーレース」が表示される。このようにして、任意のキーワードがユーザーによって入力される。そして「登録」ボタンが操作されると、入力されたキーワードが登録される。
【００３０】
そして、この登録に際しては、例えば図７に示すようなシステムによって、入力されたユーザーキーワードに対してサブキーワードが設定される。すなわち図７において、ステップ〔１〕でユーザーによるキーワードの登録が行われると、登録されたキーワードが、ステップ〔２〕で元になるキーワードとして制御ＣＰＵ２のメモリ領域２１に記憶される。
【００３１】
さらに、例えばインターネット１００（図示せず）を通じて外部の曖昧辞書の検索が行われる。そして、ステップ〔３〕で検索された中から最大３個のサブキーワードが決定され、決定されたサブキーワードがインターネット１００（図示せず）を通じて返信されて、ステップ〔４ａ〕〜〔４ｃ〕で制御ＣＰＵ２のメモリ領域２１に記憶される。
【００３２】
これらのステップ〔３〕で登録されたキーワードと、ステップ〔４ａ〕〜〔４ｃ〕で検索されたサブキーワードにより、ステップ〔５〕でキーワードインデックスが作成される。なお、キーワードインデックスには、上述の固定キーワードと、例えばＥＰＧデータと共に配信されて、ステップ〔６〕でデータベースに登録された配信キーワードも含まれる。
【００３３】
そして作成されたキーワードインデックスが、ステップ〔７〕で制御ＣＰＵ２のメモリ領域２１に記憶される。このようにして、番組表の検索を行うためのキーワードインデックスが予め作成される。これにより、検索時には高速でデータベースのキーワード検索を行うことが可能になる。なおこのキーワードには、曖昧検索を行うためのサブキーワードが含まれているものである。
【００３４】
さらに、ステップ〔８〕でユーザーによる検索キーワードの選択が行われる。また、ステップ〔９〕で、ステップ〔７〕のキーワードインデックスを用いて、ステップ〔６〕のデータベースの検索が行われ、検索結果がステップ〔１０〕で表示される。そしてこの検索結果を用いて、ユーザーは所望の番組の予約を行うことができる。あるいは、検索結果の全ての番組の記録を行うことができる。
【００３５】
このようにして、例えば電子番組表を用いて記録される所望の番組の放送時間帯と放送チャンネル等が設定され、この設定に応じて記録手段となるハードディスク装置３が駆動されると共に、上述の読み替えられた受信チャンネルに従って地上波チューナ１及びＣＳチューナ３１に対して選局等の制御が行われる。
【００３６】
これによって、内蔵の地上波チューナ１及び外付けのＣＳチューナ３１で、受信復調及びデコードされたテレビジョン信号の映像信号及び音声信号等がハードディスク装置３に記録される。なお、ハードディスク装置３での記録再生に当っては、周知のＡ／Ｄ、Ｄ／Ａ変換等が行われるが、図示は省略する。
【００３７】
さらに、ハードディスク装置３に記録されたテレビジョン信号の映像信号及び音声信号等が、制御ＣＰＵ２の制御に従って再生され、混合器４を通じて出力端子１４に取り出される。そして出力端子１４に取り出された信号は、受像機４０に供給されて、映像信号の表示及び音声信号の放音等が行われる。
【００３８】
また、制御ＣＰＵ２で形成された電子番組表の画像や、その他の操作ガイドの画像が、混合器４に供給され、ハードディスク装置３から再生される映像信号に重畳される。これにより、これらの電子番組表や操作ガイド等の画像は、受像機４０で受像される映像信号の画面に重畳して表示される。
【００３９】
これらの電子番組表や操作ガイド等の画像を見ながら、あるいは見ずに、リモートコントロール装置５０を用いて、番組記録装置１０の制御が行われる。なお、制御は、リモートコントロール装置５０からの信号がリモートコントロール受信機１５で受信され、その受信信号が制御ＣＰＵ２に供給されて行われる。
【００４０】
そして、このような番組記録装置１０において、ＥＰＧのデータが取得されて電子番組表が形成されると、例えば図８のＡに示すような電子番組表の画像が受像機４０に表示される。すなわち図８のＡでは、画面の右側の上部に日付と時刻が表示されると共に、任意の放送局（チャンネル）のその時刻以降の番組が表示される。
【００４１】
また、画面の左側には任意のコマーシャルメッセージと、現在選択されているチャンネルの受信信号の画像が表示されている。さらに画面の下部には、カーソルで選択されている番組の解説と、例えばリモートコントロール装置５０での操作のガイドが表示される。なお、番組の解説はＥＰＧのデータの一部である。
【００４２】
すなわち、例えばリモートコントロール装置５０に設けられる上下左右のカーソルキー（図示せず）を操作することにより、この画面上で左右の矢印の示されている放送局（チャンネル）と、上下の矢印の示されている番組の選択を行うことができる。そして決定キーの操作で所望の番組の選択が決定される。
【００４３】
さらに所望の番組の選択が決定されると、画面は図８のＢに示すように変化される。この図８のＢでは、選択された所望の番組の欄から、いわゆる吹き出しによって「予約録画」「取り消し」「選局」「閉じる」の制御項目が表示される。そして上下のカーソルキー及び決定キーの操作で制御項目が決定される。
【００４４】
ここで、「予約録画」が決定されると、例えば図９に示すような予約に関わる設定を行うための画像が受像機４０に表示される。すなわち図９では、選択された番組のタイトルと、その放送の日時（放送時間帯）、放送チャンネルが表示され、さらに使用者（ユーザー）の設定項目が表示される。
【００４５】
この使用者（ユーザー）の設定項目としては、「ＨＱ」「ＳＰ」「ＥＰ」等の記録（画質）モードの選択と、保存期間の設定が行われる。さらにこれらの設定が行われた後に、決定キーが操作されることで録画の予約が行われる。
【００４６】
従ってこの実施形態において、キーワードに併せてサブキーワードが設けられ、キーワードとサブキーワードのいずれかに合致する番組が検索されるようにしたことによって、装置への負担を増すことなく、キーワードの検索において曖昧な要素を持たせて、良好な電子番組表の検索を行うことができる。
【００４７】
これによって、従来の装置では、キーワードの検索において曖昧な要素を持たせるためには、特別なソフトウェアや辞書等が必要となって装置への負担が大きくなるものであり、これは特に、ユーザーがキーボード等を用いて任意に設定するキーワードに対しては、容易に対応することができなかったものを、本発明によればこれらの問題点を容易に解消することができるものである。
【００４８】
こうして上述の番組受信装置によれば、キーワードの記憶手段にはサブキーワードの記憶手段が併設され、キーワードとサブキーワードのいずれかに合致する番組が検索されることにより、装置への負担を増すことなく、キーワードの検索において曖昧な要素を持たせて、良好な電子番組表の検索を行うことができるものである。
【００４９】
また、上述の番組受信方法によれば、キーワードにはサブキーワードが併せて設けられ、キーワードとサブキーワードのいずれかに合致する番組が検索されることにより、装置への負担を増すことなく、キーワードの検索において曖昧な要素を持たせて、良好な電子番組表の検索を行うことができるものである。
【００５０】
さらに上述の番組記録装置によれば、キーワードの記憶手段にはサブキーワードの記憶手段が併設され、キーワードとサブキーワードのいずれかに合致する番組が検索されて記録されることにより、装置への負担を増すことなく、キーワードの検索において曖昧な要素を持たせて、良好な電子番組表の検索を行うことができるものである。
【００５１】
また、上述の情報処理装置によれば、キーワードの記憶手段にはサブキーワードの記憶手段が併設され、キーワードとサブキーワードのいずれかに合致する番組が検索されることにより、装置への負担を増すことなく、キーワードの検索において曖昧な要素を持たせて、良好な電子番組表の検索を行うことができるものである。
【００５２】
また、上述の情報提供システムによれば、任意の情報ネットワークに接続され、キーワードにはサブキーワードが併せて設けられ、キーワードとサブキーワードのいずれかに合致する番組が検索されることにより、装置への負担を増すことなく、キーワードの検索において曖昧な要素を持たせて、良好な電子番組表の検索を行うことができるものである。
【００５３】
さらに上述の実施形態において、情報提供システムにおける任意の情報ネットワークは、インターネットに限らず、いわゆるＬＡＮ（Ｌｏｃａｌ  Ａｒｅａ  Ｎｅｔｗｏｒｋ）に接続されている場合に、その中の任意の情報機器（パーソナルコンピュータ）に曖昧辞書やソフトウェアを設けるようにしても良い。
【００５４】
また、上述の実施形態において、情報提供システムにおけるサブキーワードの配信には課金を伴わせることによって、この実施形態をビジネスとして成立させることも可能とするものである。
【００５５】
なお本発明は、上述の説明した実施の形態に限定されるものではなく、本発明の精神を逸脱することなく種々の変形が可能とされるものである。
【００５６】
【発明の効果】
従って請求項１の発明によれば、キーワードの記憶手段にはサブキーワードの記憶手段が併設され、キーワードとサブキーワードのいずれかに合致する番組が検索されることにより、装置への負担を増すことなく、キーワードの検索において曖昧な要素を持たせて、良好な電子番組表の検索を行うことができるものである。
【００５７】
また、請求項２の発明によれば、キーワードには予め定められた固定キーワードを含み、キーワードの記憶手段には予め定められた固定サブキーワードの記憶手段が併設されることによって、固定キーワードの検索において曖昧な要素を持たせて、良好な電子番組表の検索を行うことができるものである。
【００５８】
また、請求項３の発明によれば、キーワードには随時更新される配信キーワードを含み、キーワードの記憶手段には前記キーワードの更新と同時に更新されるサブキーワードの記憶手段が併設されることによって、配信キーワードの検索において曖昧な要素を持たせて、良好な電子番組表の検索を行うことができるものである。
【００５９】
また、請求項４の発明によれば、任意の情報ネットワークへの接続手段を有し、キーワードにはユーザーが設定するユーザーキーワードを含み、キーワードの記憶手段には、前記設定されたユーザーキーワードを前記任意の情報ネットワークへアップロードし、前記任意の情報ネットワークからダウンロードされたサブキーワードの記憶手段が併設されることによって、ユーザーキーワードの検索において曖昧な要素を持たせて、良好な電子番組表の検索を行うことができるものである。
【００６０】
さらに請求項５の発明によれば、キーワードの記憶手段にはサブキーワードの記憶手段が併設され、キーワードとサブキーワードのいずれかに合致する番組が検索されることにより、装置への負担を増すことなく、キーワードの検索において曖昧な要素を持たせて、良好な電子番組表の検索を行うことができるものである。
【００６１】
また、請求項６の発明によれば、キーワードには予め定められた固定キーワードを含み、キーワードには予め定められた固定サブキーワードが併せて設けられることによって、固定キーワードの検索において曖昧な要素を持たせて、良好な電子番組表の検索を行うことができるものである。
【００６２】
また、請求項７の発明によれば、キーワードには随時更新される配信キーワードを含み、キーワードには前記キーワードの更新と同時に更新されるサブキーワードが併せて設けられることによって、配信キーワードの検索において曖昧な要素を持たせて、良好な電子番組表の検索を行うことができるものである。
【００６３】
また、請求項８の発明によれば、任意の情報ネットワークに接続され、キーワードにはユーザーが設定するユーザーキーワードを含み、キーワードには、前記設定されたユーザーキーワードを前記任意の情報ネットワークへアップロードし、前記任意の情報ネットワークからダウンロードされたサブキーワードが併せて設けられることによって、ユーザーキーワードの検索において曖昧な要素を持たせて、良好な電子番組表の検索を行うことができるものである。
【００６４】
さらに請求項９の発明によれば、キーワードの記憶手段にはサブキーワードの記憶手段が併設され、キーワードとサブキーワードのいずれかに合致する番組が検索されることにより、装置への負担を増すことなく、キーワードの検索において曖昧な要素を持たせて、良好な電子番組表の検索を行うことができるものである。
【００６５】
また、請求項１０の発明によれば、キーワードには予め定められた固定キーワードを含み、キーワードの記憶手段には予め定められた固定サブキーワードの記憶手段が併設されることによって、固定キーワードの検索において曖昧な要素を持たせて、良好な電子番組表の検索を行うことができるものである。
【００６６】
また、請求項１１の発明によれば、キーワードには随時更新される配信キーワードを含み、キーワードの記憶手段には前記キーワードの更新と同時に更新されるサブキーワードの記憶手段が併設されることによって、配信キーワードの検索において曖昧な要素を持たせて、良好な電子番組表の検索を行うことができるものである。
【００６７】
また、請求項１２の発明によれば、任意の情報ネットワークへの接続手段を有し、キーワードにはユーザーが設定するユーザーキーワードを含み、キーワードの記憶手段には、前記設定されたユーザーキーワードを前記任意の情報ネットワークへアップロードし、前記任意の情報ネットワークからダウンロードされたサブキーワードの記憶手段が併設されることによって、ユーザーキーワードの検索において曖昧な要素を持たせて、良好な電子番組表の検索を行うことができるものである。
【００６８】
さらに請求項１３の発明によれば、キーワードの記憶手段にはサブキーワードの記憶手段が併設され、キーワードとサブキーワードのいずれかに合致する番組が検索されることにより、装置への負担を増すことなく、キーワードの検索において曖昧な要素を持たせて、良好な電子番組表の検索を行うことができるものである。
【００６９】
また、請求項１４の発明によれば、キーワードには予め定められた固定キーワードを含み、キーワードの記憶手段には予め定められた固定サブキーワードの記憶手段が併設されることによって、固定キーワードの検索において曖昧な要素を持たせて、良好な電子番組表の検索を行うことができるものである。
【００７０】
また、請求項１５の発明によれば、キーワードには随時更新される配信キーワードを含み、キーワードの記憶手段には前記キーワードの更新と同時に更新されるサブキーワードの記憶手段が併設されることによって、配信キーワードの検索において曖昧な要素を持たせて、良好な電子番組表の検索を行うことができるものである。
【００７１】
さらに請求項１７の発明によれば、キーワードの記憶手段にはサブキーワードの記憶手段が併設され、キーワードとサブキーワードのいずれかに合致する番組が検索されることにより、装置への負担を増すことなく、キーワードの検索において曖昧な要素を持たせて、良好な電子番組表の検索を行うことができるものである。
【００７２】
また、請求項１８の発明によればキーワードには随時更新される配信キーワードを含み、キーワードには前記キーワードの更新と同時に配信されるサブキーワードが併せて設けられることによって、配信キーワードの検索において曖昧な要素を持たせて、良好な電子番組表の検索を行うことができるものである。
【００７３】
また、請求項１９の発明によれば、キーワードにはユーザーが設定するユーザーキーワードを含み、キーワードには、前記設定されたユーザーキーワードを前記任意の情報ネットワークへアップロードし、前記任意の情報ネットワークからダウンロードされたサブキーワードが併せて設けられることによって、ユーザーキーワードの検索において曖昧な要素を持たせて、良好な電子番組表の検索を行うことができるものである。
【００７４】
また、請求項２０の発明によれば、任意の情報ネットワークからのサブキーワードのダウンロードには課金を伴わせることによって、システムをビジネスとして成立させることができるものである。
【００７５】
これによって、従来の装置では、キーワードの検索において曖昧な要素を持たせるためには、特別なソフトウェアや辞書等が必要となって装置への負担が大きくなるものであり、これは特に、ユーザーがキーボード等を用いて任意に設定するキーワードに対しては、容易に対応することができなかったものを、本発明によればこれらの問題点を容易に解消することができるものである。
【図面の簡単な説明】
【図１】本発明による番組受信装置、番組受信方法、番組記録装置、情報処理装置及び情報提供システムの適用される番組記録装置の一実施形態の構成を示すブロック図である。
【図２】そのキーワード及びサブキーワードの一実施形態の構成を示す表図である。
【図３】その説明のためのキーワード設定の画像を示す線図である。
【図４】その説明のためのキーワード設定の画像を示す線図である。
【図５】そのユーザーキーワードの設定の画像を示す線図である。
【図６】そのユーザーキーワードの設定の画像を示す線図である。
【図７】その処理動作の説明のための要部のブロック図である。
【図８】その説明のための電子番組表の画像を示す線図である。
【図９】その説明のための予約に関わる設定を行うための画像を示す線図である。
【符号の説明】
１…地上波放送の受信チューナ、２…制御ＣＰＵ、３…ハードディスク装置、４…混合器、１０…番組記録装置、１１…アンテナ端子、１２…アナログ入力端子、１３…データ入力端子、１４…出力端子、１５…リモートコントロール受信機、２０…地上波放送の受信アンテナ、２１…テーブルの設けられるメモリ領域、３０…衛星放送の受信アンテナ、３１…衛星放送の受信チューナ、４０…受像機、５０…リモートコントロール装置、１００…インターネット、２００…ウェブサーバ、３００…ポーリングサーバ
【図１】
2004336394.tif 000003
【図２】
2004336394.tif 000004
【図３】
2004336394.tif 000005
【図４】
2004336394.tif 000006
【図５】
2004336394.tif 000007
【図６】
2004336394.tif 000008
【図７】
2004336394.tif 000009
【図８】
2004336394.tif 000010
【図９】
2004336394.tif 000011